(57)【要約】  【課題】  この発明は、スペアタイヤを備えない、または必要としない車両であっても、ユーザーの選択でスペアタイヤを搭載する場合に、スペアタイヤが車両走行時に自由に移行しないようにした車両の後部構造を提供することを目的とする。  【解決手段】  スペアタイヤ３０を搭載する場合には、スペアタイヤ３０は、面一部材２０の上面に載置され、ホイール３１のボルト穴を挿通する取り付けボルト３２を介して、スペアタイヤ取付用ブラケット１０に固定される。  【選択図】  図８
2005112055.tif 000002
【特許請求の範囲】
【請求項１】
車両後部のフロアパネルに凹設した凹設空間を形成し、
該凹設空間を覆い前記フロアパネルに対して略面一となり、且つスペアタイヤをその上面に載置しうる面一部材と、
前記凹設空間の底面から上方へ突出し、上端部でスペアタイヤを固定しうるスペアタイヤ取付部材とを備えた
車両の後部構造。
【請求項２】
前記スペアタイヤ取付部材をフロアパネル下部に設けた補強部材に固定した
請求項１記載の車両の後部構造。
【請求項３】
前記面一部材を前記凹設空間を充填する充填部材で構成した
請求項１又は２記載の車両の後部構造。
【請求項４】
前記充填部材の上面に小物収納部を形成した
請求項３記載の車両の後部構造。
【請求項５】
前記面一部材を前記凹設空間を閉塞する板部材で構成し、前記スペアタイヤ取付部材の上端を前記板部材の下面に当接させた
請求項１又は２記載の車両の後部構造。
【請求項６】
前記板部材に開口部を設け、該開口部から前記凹設空間に対して小物を出し入れ可能として、該凹設空間を小物収納部とした
請求項５記載の車両の後部構造。
【請求項７】
前記小物収納部を開閉自在に覆う蓋部材を設けた
請求項４又は６記載の車両の後部構造。
【請求項８】
前記面一部材に、車両装着時に前記スペアタイヤ取付部材に係合する係合部を設けた
請求項１〜７のうち一つに記載の車両の後部構造。
【請求項９】
前記スペアタイヤ取付部材を前記凹設空間の略中央に設定した
請求項１〜８のうち一つに記載の車両の後部構造。
【発明の詳細な説明】
【技術分野】
【０００１】
この発明は、車両の後部構造、特に車両の後部にスペアタイヤや小物を収納するように構成した車両の後部構造に関する。
【背景技術】
【０００２】
従来より、車両の後部（荷室）にスペアタイヤや小物を収納するため、後部のフロアパネルに凹部を形成し、スペアタイヤハウスや小物収納部を構成することが知られている。（例えば特許文献１参照）。
【０００３】
すなわち、特許文献１に記載されているように、車両後部のフロアパネルを凹ませることによりスペアタイヤハウスを形成し、そのスペアタイヤハウス内にスペアタイヤと小物収納用のトレイを重合配置することで、スペアタイヤと小物を収納している。
【０００４】
このように、フロアパネルの凹部にスペアタイヤや小物を収納することにより、そのフロアパネル上の空間（荷室空間）を有効に利用できる。
【０００５】
【特許文献１】特開平９−１９３７１５号公報。
【発明の開示】
【発明が解決しようとする課題】
【０００６】
ところで、車両によってはフロアパネルの凹部を大きく形成することができなかったり、または、タイヤの性能等によりスペアタイヤを必要としないものがある。
【０００７】
このような車両の場合、前述のようなスペアタイヤハウスは車両後部のフロアパネルに形成されない。しかし、パンク修理工具等の小物の収納は必要であるため、車両後部のフロアパネルを若干凹ませて小物収納部を形成することが考えられる。
【０００８】
このように構成することで、スペアタイヤは備えないものの、フロアパネルの凹部にパンク修理工具を収納してパンク修理に対応することで、その上方のフロアパネル上の空間を有効利用できる車両にすることができる。
【０００９】
しかしながら、このようにスペアタイヤを備えない、または必要としない車両であっても、パンク修理を行うよりタイヤ交換の方が安心であると考えるユーザーにしてみれば、交換用のスペアタイヤを車両に搭載したい。
【００１０】
そこで、こうした要望に応えるために、さらに選択部品としてスペアタイヤを設定することが考えられる。しかし、単にスペアタイヤを荷室に搭載するだけでは、車両走行時にスペアタイヤが自由に前後左右に移行してしまい、騒音発生や走行安定性を害するという問題がある。
【００１１】
そこで、この発明は、スペアタイヤを備えない、または必要としない車両であっても、ユーザーの選択でスペアタイヤを搭載する場合に、スペアタイヤが車両走行時に自由に移行しないようにした車両の後部構造を提供することを目的とする。
【課題を解決するための手段】
【００１２】
この発明による車両の後部構造は、車両後部のフロアパネルに凹設した凹設空間を形成し、該凹設空間を覆い前記フロアパネルに対して略面一となり、且つスペアタイヤをその上面に載置しうる面一部材と、前記凹設空間の底面から上方へ突出し、上端部でスペアタイヤを固定しうるスペアタイヤ取付部材とを備えたものである。
【００１３】
上記構成によれば、フロアパネルに凹設空間を形成し、その凹設空間を上面にスペアタイヤを載置しうる面一部材で覆い、その面一部材上に載置しうるスペアタイヤを凹設空間の底面から上方に突出したスペアタイヤ取付部材で固定しうることになる。
【００１４】
よって、フロアパネルに凹設空間を設けつつも、その底面から上方へ突出するスペアタイヤ取付部材を設けることで、ユーザーの選択でスペアタイヤを搭載する場合にはその凹設空間の上方でスペアタイヤを確実に固定することができる。
【００１５】
この発明の一実施態様においては、前記スペアタイヤ取付部材をフロアパネル下部に設けた補強部材に固定したものである。
【００１６】
上記構成によれば、スペアタイヤ取付部材が補強部材により強固に固定されるため、スペアタイヤを固定した場合に取付部としての強度を確実に確保することができる。また、仮にスペアタイヤ上にさらに荷物等を積載した場合にも、強度が確保されるため、スペアタイヤが凹設空間内に落ち込むおそれをなくすことができる。さらに、車両が衝突した場合等にも、スペアタイヤの固定が外れて移動してしまうのを防ぐことができる。
【００１７】
この発明の一実施態様においては、前記面一部材を前記凹設空間を充填する充填部材で構成したものである。
【００１８】
上記構成によれば、面一部材を充填部材としたことで、面一部材上にスペアタイヤ等の重量物が載置されたとしても、面一部材が凹設空間内に落ち込み変形するおそれがないため、安定してフロアパネル上の空間を有効利用できる。
【００１９】
この発明の一実施態様においては、前記充填部材の上面に小物収納部を形成したものである。
【００２０】
上記構成によれば、充填部材による効果を得つつも、小物収納部を設けたことで小物を有効に収納することができる。
【００２１】
この発明の一実施態様においては、前記面一部材を前記凹設空間を閉塞する板部材で構成し、前記スペアタイヤ取付部材の上端を前記板部材の下面に当接させたものである。
【００２２】
上記構成によれば、面一部材を板部材とすることで、凹設空間を全て有効に使用できるスペースとしつつ、スペアタイヤ取付部材の上端で板部材の下面を支持するため、板部材の凹設空間内への落ち込み変形をできるだけ抑制することができる。
【００２３】
この発明の一実施態様においては、前記板部材に開口部を設け、該開口部から前記凹設空間に対して小物を出し入れ可能として、該凹設空間を小物収納部としたものである。
【００２４】
上記構成によれば、開口部を設けたことにより、凹設空間の小物収納部から小物の出し入れを行う場合に、その都度、板部材を取り外さなくても小物の出し入れを行うことができる。
【００２５】
この発明の一実施態様においては、前記小物収納部を開閉自在に覆う蓋部材を設けたものである。
【００２６】
上記構成によれば、蓋部材により小物収納部とフロアパネル上の空間を完全に遮断できるため、小物収納部内にフロアパネル上の荷物等が落ち込むことを防ぐことができる。このため、小物収納部内に収納する物品に余計な荷重を掛けるおそれをなくすことができる。
【００２７】
この発明の一実施態様においては、前記面一部材に、車両装着時に前記スペアタイヤ取付部材に係合する係合部を設けたものである。
【００２８】
上記構成によれば、面一部材を車両に装着する際に、面一部材は係合部によりスペアタイヤ取付部材に係合するため、スペアタイヤ取付部材は装着の際の位置決め及びガイド部材として機能し、面一部材を容易に装着することができる。
【００２９】
この発明の一実施態様においては、前記スペアタイヤ取付部材を前記凹設空間の略中央に設定したものである。
【００３０】
上記構成によれば、スペアタイヤをスペアタイヤ取付部材に取り付けた場合にスペアタイヤが凹設空間の略中央位置の上方、すなわち面一部材の中央で固定されることになる。このように面一部材の中央でスペアタイヤを固定することで、スペアタイヤ全体で面一部材を押圧するような状態となるため、面一部材の装着位置が確実に保持され、走行時等に面一部材が装着位置からずれるのを防止することができる。
【発明の効果】
【００３１】
この発明によれば、車両後部のフロアパネルに凹設した凹設空間を形成し、該凹設空間を覆い前記フロアパネルに対して略面一となり、且つスペアタイヤをその上面に載置しうる面一部材と、前記凹設空間の底面から上方へ突出し、上端部でスペアタイヤを固定しうるスペアタイヤ取付部材とを備えることにより、フロアパネルに凹設空間を設けつつも、その底面から上方へ突出するスペアタイヤ取付部材を設けることで、ユーザーの選択でスペアタイヤを搭載する場合には、その凹設空間の上方でスペアタイヤを確実に固定することができる。
【００３２】
よって、スペアタイヤを備えない、または必要としない車両であっても、ユーザーの選択でスペアタイヤを搭載する場合には、スペアタイヤが車両走行時に自由に移行しないようにすることができる。
【発明を実施するための最良の形態】
【００３３】
この発明の一実施例を以下図面に基づいて詳述する。  
まず、全体構造について図１〜図３により説明する。図１は本実施例の車両の後部構造の概略斜視図、図２は面一部材を取り除いた車両の後部構造の概略斜視図、図３は車体フレーム等も含めて開示した車両の後部構造の平面図である。
【００３４】
車両の後部には、図３に示すように、車両前後方向に延びるリアサイドフレーム１を左右一対に配置し、そのリアサイドフレーム１の間に、車幅方向に延びる第４クロスメンバ２、及び第５クロスメンバ３を配置している。
【００３５】
これらフレームやクロスメンバの上方には、荷室の床面を構成するリアフロアパネル４を全面にわたり貼設している。
【００３６】
このリアフロアパネル４は、図２に示すように、車室の床面を構成するキャビンフロアパネル５から一段隆起して車両後端位置まで前後方向に水平に延びるように貼設しているが、中央でその一部を凹ませて凹設空間６を形成している。
【００３７】
この凹設空間６は、リアフロアパネル４の上端面４ａから一段低く形成された第１凹部４ｂと、その内側でさらに低く形成され車両後端から前方に延びる第２凹部４ｃと、その第２凹部の前方位置で最も低く形成される第３凹部４ｄとからなる。
【００３８】
これら第１〜第３凹部４ｂ、４ｃ、４ｄで構成される凹設空間６は、内部にスペアタイヤを収納できるほどは凹んでおらず、小物を収納しうる程度の容量を確保するにとどまる。
【００３９】
また、このリアフロアパネル４の両側には、荷室の側壁を構成するリアサイドパネル７を上下方向に延びるように配置すると共に、車両後端には荷室の後壁を構成するリアエンドパネル８を上下方向に延びるように配置している。
【００４０】
前述のリアフロアパネル４の第２凹部４ｃの中央上面（底面）には、略ハット状断面のスペアタイヤ取付用ブラケット１０を配設している。この配設位置は、図３に示すように、第５クロスメンバ３がその下側に固定される位置であり、スペアタイヤ取付用ブラケット１０はこの第５クロスメンバ３にリアフロアパネル４を介して溶接固定される。
【００４１】
スペアタイヤ取付用ブラケット１０の詳細構造について、図４により説明する。スペアタイヤ取付用ブラケット１０は、前述のように略ハット状断面構造をしており、上端に後述のスペアタイヤ３０側から延びる取り付けボルト３２を螺合固定するナット１１を溶接した取付け部１２を設け、その両側に上下方向に延びる立上り部１３を設け、下端に前述のリアフロアパネルに溶接されるフランジ部１４を設けている。
【００４２】
このうち立上り部１３は、取付け部１２の高さ位置がリアフロアパネルの上端面４ａと略一致する高さになるように上下方向長さを設定している。また、立上り部１３の両側端には絞り部１３ａを形成している。この絞り部１３ａは、後述の面一部材を凹設空間６に装着する際にその絞り部１３ａにガイド機能を持たせ、装着作業を容易に行えるようにするために設定している。
【００４３】
一方、凹部空間の装着される面一部材２０は、図１に示すように装着状態でその上面２２が、リアフロアパネルの上端面４ａと略一致するように設定され、面一部材２０を装着することで、リアフロアパネル４上を平坦面とすることができる。
【００４４】
このようにリアフロアパネル４上を平坦面とすることで、リアフロアパネルの上方空間である荷室空間を有効に利用できる。
【００４５】
この面一部材の詳細構造について、図５〜図８により説明する。図５は面一部材の全体平面図、図６は図５のＡ−Ａ線矢視断面図、図７は図５のＢ−Ｂ線矢視断面図、図８は図５のＣ−Ｃ線矢視断面図である。
【００４６】
面一部材２０は、所謂発泡ビーズと呼ばれる合成樹脂で成形しており、内部をその発泡ビーズで充填した充填部材として構成している。すなわち、樹脂製の充填部材で面一部材２０を構成して、車両装着時には、その面一部材２０で凹設空間６を完全に充填するように設定されている（図６〜図８参照）。
【００４７】
面一部材２０の外形は、その下面２１を前述の第1〜第３凹部４ｂ、４ｃ、４ｄに略一致する凸形状とし、その周縁を前端から側方にわたり円弧状として後端を直線状に形成することで略かまぼこ形状とし、上面２２を平面形状としている。
【００４８】
面一部材の上面２２には、パンク修理工具である修理キット２３、ジャッキアップハンドル２４、ソケットレンチ２５等を収納する小物収納部２６…を形成している。この小物収納部２６…は、各工具の形状に一致するように面一部材の上面２２を凹設して形成している。
【００４９】
このように工具の形状に一致する小物収納部２６…を形成することにより、パンク修理作業の際に工具を載せ忘れるといった問題を解消することができ、また、工具が小物収納部２６…内でがたつき、異音が生じるといった問題も解消することができる。
【００５０】
また、このうち修理キット２３は溶剤２３ａ、ノズル２３ｂ、コンプレッサ２３ｃからなるが、この上方には面ファスナー（図示せず）によって開閉自在とされた平板状のハードボード２７を配設している。すなわち、ハードボード２７が修理キットを収納する小物収納部２６の蓋部材として機能するように構成している。このようにハードボード２７を蓋部材として機能させることにより、修理キット２３に対して直接荷室に載置した荷物等の荷重が掛らないようにしている。
【００５１】
タイヤがパンクした場合には、これら修理キット２３等を使ってパンク修理を行う。すなわち、車両をジャッキアップした上で、タイヤ内にノズル２３ｂを使って溶剤２３ａを流し込み、コンプレッサ２３ｃを使って、空気の漏れたタイヤの空気圧を上昇させることでパンク修理を行う。このように修理キット２３等を使ってパンク修理を行うことで、スペアタイヤを搭載しなくても車両の走行を継続することができる。  
なお、２８は車両牽引時に車両前端に装着するトーイングフックである。
【００５２】
さらに、面一部材２０の中央位置には、前述のスペアタイヤ取付用ブラケット１０に嵌合するブラケット嵌合穴２９を穿設している。このブラケット嵌合穴２９は、その下部に面取り部２９ａを形成し上部に係合部２９ｂを形成している。
【００５３】
すなわち、ブラケット嵌合穴２９に面取り部２９ａを設けることで、面一部材２０を装着する際のガイド手段として機能させ、装着作業を容易にしている。また、係合部２９ｂを設けることで、面一部材２０の装着位置の位置決めを行い、面一部材２０のがたつきを抑えるようにしている。
【００５４】
ところで、ユーザーの選択によりスペアタイヤ３０を搭載する場合には、スペアタイヤ３０は、図６、図８に示すように面一部材２０の上面に載置され、ホイール３１のボルト穴を挿通する取り付けボルト３２を介して、前述のスペアタイヤ取付用ブラケット１０に固定される。
【００５５】
取り付けボルト３２を介してスペアタイヤ取付用ブラケット１０にスペアタイヤ３０を固定することで、スペアタイヤ３０をユーザーの選択により搭載した場合であっても、スペアタイヤ３０を強固な車体に対して確実に固定することができる。すなわち、荷室内に単に搭載するのではなく、車体に固定されたスペアタイヤ取付用ブラケット１０に固定することで、凹設空間６の上方にスペアタイヤ３０を確実に固定配置することができる。
【００５６】
また、このスペアタイヤ３０の固定位置を面一部材２０の略中央に設定したことにより、スペアタイヤ３０全体で面一部材２０を押圧するような状態でスペアタイヤ３０を面一部材２０上に載置できるため、面一部材２０の装着位置が確実に保持され、走行時等に面一部材２０が装着位置からずれるのを防止できる。
【００５７】
次に、以上のように構成した本実施例の車両の後部構造の作用及び効果について、詳述する。
【００５８】
このように本実施例の車両の後部構造は、車両後部のリアフロアパネル４に凹設した凹設空間６を形成し、該凹設空間６を覆い前記リアフロアパネル４に対して略面一となり、且つスペアタイヤ３０をその上面に載置しうる面一部材２０と、前記凹設空間６の底面から上方へ突出し、上端部でスペアタイヤ３０を固定しうるスペアタイヤ取付用ブラケット１０とを備えたものである。
【００５９】
上記構成によれば、リアフロアパネル４に凹設空間６を形成し、その凹設空間６を上面にスペアタイヤ３０を載置しうる面一部材２０で覆い、その面一部材２０上に載置しうるスペアタイヤ３０を凹設空間６の底面から上方に突出したスペアタイヤ取付用ブラケット２０で固定しうることになる。
【００６０】
よって、リアフロアパネル４に凹設空間６を設けつつも、その底面から上方へ突出するスペアタイヤ取付ブラケット１０を設けることで、スペアタイヤ３０を搭載する場合にはその凹設空間６の上方でスペアタイヤ３０を確実に固定することができる。
【００６１】
したがって、スペアタイヤを備えない、または必要としない車両であっても、ユーザーの選択でスペアタイヤ３０を搭載する場合には、スペアタイヤ３０が車両走行時に自由に移行しないようにできる。
【００６２】
また、本実施例の車両の後部構造は、前記スペアタイヤ取付用ブラケット１０をリアフロアパネル４下部に設けた第５クロスメンバ３に固定したものである
上記構成によれば、スペアタイヤ取付用ブラケット１０が第５クロスメンバ３により強固に固定されるため、スペアタイヤ３０を固定した場合に取付部としての強度を確実に確保することができる。また、仮にスペアタイヤ３０上にさらに荷物等を積載した場合にも強度が確保されるため、スペアタイヤ３０が凹設空間内に落ち込むおそれをなくすことができる。さらに、車両が衝突した場合等にも、スペアタイヤ３０の固定が外れて移動してしまうのを防ぐことができる。
【００６３】
また、本実施例の車両の後部構造は、前記面一部材２０を前記凹設空間６を充填する充填部材で構成したものである。
【００６４】
上記構成によれば、面一部材２０を充填部材としたことで、面一部材上にスペアタイヤ３０等の重量物が載置されたとしても、面一部材２０が凹設空間６内に落ち込み変形するおそれがないため、安定してリアフロアパネル上の空間を有効利用できる。
【００６５】
また、本実施例の車両の後部構造は、前記面一部材の上面２２に小物収納部２６…を形成したものである。
【００６６】
上記構成によれば、面一部材２０を充填部材とした効果を得つつも、小物収納部２６…を設けたことで凹設空間６に小物を有効に収納することができる。特に小物収納部２６…の形状を工具２３〜２５等の形状と一致するように形成することで、工具２３〜２５等の載せ忘れをなくすことができ、また工具２３〜２５等のがたつきもなくすことができる。
【００６７】
また、本実施例の車両の後部構造は、前記小物収納部２６…を開閉自在に覆うハードボード２７を設けたものである。
【００６８】
上記構成によれば、ハードボード２７により小物収納部２６…とリアフロアパネル４上の荷室空間を完全に遮断できるため、小物収納部２６内に荷室空間の荷物等が落ち込むことを防ぐことができる。このため、小物収納部２６内に収納した修理キット２３に余計な荷重を掛けるおそれをなくすことができる。
【００６９】
また、本実施例の車両の後部構造は、前記面一部材２０のブラケット嵌合穴２９に、車両装着時に前記スペアタイヤ取付用ブラケット１０に係合する係合部２９ｂを設けたものである。
【００７０】
上記構成によれば、面一部材２０を車両に装着する際に、面一部材２０は係合部２９ｂによりスペアタイヤ取付用ブラケット１０に係合するため、スペアタイヤ取付用ブラケット１０は装着の際の位置決め及びガイド部材として機能し、面一部材２０を容易に装着することができる。
【００７１】
また、本実施例の車両の後部構造は、前記スペアタイヤ取付用ブラケット１０を前記凹設空間６の略中央に設定したものである。
【００７２】
上記構成によれば、スペアタイヤ３０をスペアタイヤ取付用ブラケット１０に取り付けた場合にスペアタイヤ３０が凹設空間６の略中央位置の上方、すなわち面一部材２０の中央で固定されることになる。このように面一部材２０の中央でスペアタイヤ３０を固定することで、スペアタイヤ３０全体で面一部材２０を押圧するような状態となるため、面一部材２０の装着位置が確実に保持され、走行時等に面一部材２０が装着位置からずれるのを防止することができる。
【００７３】
次に、他の実施例について図９を利用して説明する。図９は前述の実施例の図８に対応するＣ−Ｃ線矢視断面図である。
【００７４】
本実施例は、面一部材４０を板部材で構成したものである。その他の部材については前述の実施例と同じ符号を付して、説明を省略する。
【００７５】
本実施例では、面一部材４０を板部材とすることで、前述の実施例とは異なり、凹設空間６を全て小物収納部４１とするものである。すなわち、小物収納部４１に収納できる小物の種類をパンク修理工具以外にも広げて、ユーザーのニーズに応じて収納小物を変更することができるようにしたものである。
【００７６】
面一部材４０は、凹設空間６を閉塞するように、その後端部４２をリアエンドパネル８の開口位置まで立上げ、そのまま前方に延びるよう水平方向に広がる平面部４３を形成し、その前端部４４をリアフロアパネルの上端面４ａに支持させている。また、平面部４３の中央にはスペアタイヤ取付用ブラケット１０の上端を当接させ、このスペアタイヤ取付用ブラケット１０で面一部材４０を支持している。なお、図示しないものの、面一部材４０の周縁もその端部をリアフロアパネルの上端面４ａに支持される。
【００７７】
この面一部材４０の平面部４３の中央には、スペアタイヤ取付用ブラケット１０の取付け部１２を上方（荷室側）に露出させるための取付け孔４５を穿設している。この取付け孔４５を設けたことにより、面一部材４０が板部材であっても面一部材４０を装着したままで、スペアタイヤ３０を車両に装着することができる。
【００７８】
また、この面一部材４０の下側面にはスペアタイヤ取付用ブラケット１０に係合する係合部４６を設けている。この係合部４６を設けることで、面一部材の位置決め及び固定が行なえる。
【００７９】
さらに、面一部材の平面部４３にはその一部に開口部４７を穿設し、その開口部４７を開閉自在に覆うハードボード４８を設けている。このように開口部４７及びハードボード４８を設けることで凹設空間６を小物収納部４１とした場合に、ハードボード４８を開閉するだけで、その都度、面一部材４０を取り外さなくても、小物の出し入れを行うことができる。
【００８０】
次に、以上のように構成した本実施例の車両の後部構造の作用及び効果について、詳述する。
【００８１】
このように本実施例の車両の後部構造は、面一部材４０を凹設空間６を閉塞する板部材で構成し、前記スペアタイヤ取付用ブラケット１０の上端を前記面一部材４０の下面に当接させたものである。
【００８２】
上記構成によれば、面一部材４０を板部材とすることで、凹設空間６を全て有効に使用できる収納スペースとすることができ、ユーザーのニーズに応じて収納小物を変更することができる。よって凹設空間６をより有効に利用できる。また、スペアタイヤ取付用ブラケット１０の上端でこの面一部材４０の下面を支持するため、面一部材４０の凹設空間６内への落ち込み変形もできるだけ抑制することができる。
【００８３】
また、本実施例の車両の後部構造は、前記面一部材４０に開口部４７を設け、該開口部４７により前記凹設空間６に対して小物の出し入れを可能としたものである。
【００８４】
上記構成によれば、開口部４７を設けたことにより、凹設空間６を小物収納部４１として使用する際、小物の出し入れを行う場合に、その都度、面一部材４０を取り外さなくても小物の出し入れを行うことができる。
【００８５】
なお、ハードボード２７を設けた点については、前述の実施例と同様の効果を有する。
【００８６】
以上、この発明の構成と、前述の二つの実施例との対応において、
この発明のフロアパネルは、実施例のリアフロアパネル４に対応し、
以下同様に、
スペアタイヤ取付部材は、スペアタイヤ取付用ブラケット１０に対応し、
補強部材は、第５クロスメンバ３に対応し、
蓋部材は、ハードボード２７に対応するも、
この発明は、前述の実施例の構成のみに限定されるものではない。
【００８７】
特に面一部材については、凹設空間上に位置してフロアパネルと平坦面を構成すれば、形状、材質について限定されるものではなく、様々なものを含む。例えば、ラバー等の弾性材やプラスチック材、木材等を含む。
【００８８】
また、スペアタイヤ取付部材も、前述の実施例の構造に限定されるものではなく、上端に取付部が設けられていれば、Ｌ字状断面のブラケットや円柱、円筒状の部材等の構造を含むものである。
【００８９】
なお、スペアタイヤ取付部材の他の使い方として、上端にロープなどを掛けるフック部を設け、荷物の係止を行う係合フック部材として使用することも考えられる。この場合も、凹設空間の上方で車体剛性を利用した載置作業を行うことができる。
【図面の簡単な説明】
【００９０】
【図１】本発明を採用した車両の後部構造の概略斜視図。
【図２】面一部材を取り除いた車両の後部構造の概略斜視図。
【図３】車体フレーム等も含めて開示した車両の後部構造の平面図。
【図４】スペアタイヤ取付用ブラケットの全体斜視図。
【図５】面一部材の全体平面図。
【図６】図５のＡ−Ａ線矢視断面図。
【図７】図５のＢ−Ｂ線矢視断面図。
【図８】図５のＣ−Ｃ線矢視断面図。
【図９】他の実施例のＣ−Ｃ線矢視断面図。
【符号の説明】
【００９１】
４…リアフロアパネル（フロアパネル）
６…凹設空間
１０…スペアタイヤ取付用ブラケット（スペアタイヤ取付部材）
２０，４０…面一部材
【図１】
2005112055.tif 000003
【図２】
2005112055.tif 000004
【図３】
2005112055.tif 000005
【図４】
2005112055.tif 000006
【図５】
2005112055.tif 000007
【図６】
2005112055.tif 000008
【図７】
2005112055.tif 000009
【図８】
2005112055.tif 000010
【図９】
2005112055.tif 000011